(57)【特許請求の範囲】
【請求項１】
天井等の被固定部に取り付けられる取付部材と、
物干し竿等の懸架物を支持する保持材と、
前記取付部材と前記保持材とを結ぶ上下方向の吊り下げ材とを備え、
前記吊り下げ材は前記取付部材に対して揺動自在であり、
前記取付部材及び前記吊り下げ材の一方に長孔が設けられて、他方に設けたガイドピンが前記長孔内を移動することにより前記吊り下げ材の揺動がガイドされており、
前記ガイドピンの前記長孔内の移動とともにそのガイドピンと一体に同方向へ移動するガイドプレートを備え、
前記ガイドプレートを前記取付部材に固定して前記ガイドピンの前記長孔内での移動を規制する係止手段を備え、
前記取付部材は、前記被固定部側の基板部から前記保持材側に向かって立ち上がる対の側壁とを備え、
前記長孔は前記対の側壁にそれぞれ設けられて、
前記吊り下げ材は前記対の側壁間に入り込んでおり、
前記ガイドプレートは前記側壁の外面に沿う側部プレートと、前記基板部に沿う基部プレートとを備え、
前記係止手段は、前記基板部と前記基部プレートとの間に設けられる物干し用支持装置。
【請求項２】
前記係止手段は、前記基部プレート側に設けられる貫通孔と、前記基板部側に設けられるネジ孔と、前記貫通孔及び前記ネジ孔に挿通されるネジ部材とを備える請求項１に記載の物干し用支持装置。
【請求項３】
前記係止手段のネジ孔は、前記取付部材に対する前記吊り下げ材の揺動角度に合わせて前記基板部側に穿孔されるものであり、任意の前記揺動角度において前記基板部と前記基部プレートを係止できる請求項２に記載の物干し用支持装置。
【請求項４】
前記ガイドプレートは、前記ガイドピンの軸周りに回動可能である請求項１から３のいずれか一つに記載の物干し用支持装置。
【請求項５】
前記取付部材は、前記被固定部に固定される基板と、その基板に固定される基板プレートと、前記基板プレートに固定されて吊り下げ材を揺動自在に支持する揺動支持部とを備え、前記基板プレートは、前記基板に対して平面視任意の方位に固定できて前記吊り下げ材の揺動方向が変更可能である請求項１から４のいずれか一つに記載の物干し用支持装置。
【発明の詳細な説明】
【技術分野】
【０００１】
この発明は、バルコニーやテラスの天井、その他建物の軒下等に、物干し用の支持部材を吊り下げて固定する際に、その支持部材の角度を調整できる機能を備えた物干し用支持装置に関するものである。
【背景技術】
【０００２】
バルコニーやテラスの天井、その他建物の軒下や梁等（以下、「天井等」と称する。）に、物干し用の支持部材を吊り下げて固定する物干し用支持装置がある。
【０００３】
この物干し用支持装置は、物干し竿の端部等を支える保持材に軸状の吊り下げ材を上向きに接続した支持部材を備える。その吊り下げ材の上端を、天井等の被固定部の下向き面に固定された取付部材に対して、ピン接合等により揺動自在に接続している。
【０００４】
取付部材を固定する天井等の被固定部は、その向きが必ずしも水平方向ではなく、建物の排水勾配やデザイン等を考慮して、水平方向に対して一定の角度（勾配）が付いている場合が多い。
【０００５】
このため、上記のように、軸状の吊り下げ材を取付部材に対して揺動できるようにして、支持部材、すなわち、吊り下げ材及びその下部の保持材の向きを調整できるようにしている。なお、吊り下げ材は、鉛直下向き方向に固定されるのが一般的である。
【０００６】
このように、支持部材の角度を調整できる機能を備えた物干し用支持装置として、例えば、特許文献１、特許文献２に記載のものがある。
【先行技術文献】
【特許文献】
【０００７】
【特許文献１】特開平１１−３１９３９０号公報
【特許文献２】特開２００７−２０９５７４号公報
【発明の概要】
【発明が解決しようとする課題】
【０００８】
上記特許文献１によれば、吊り下げ材側に設けた２つの長孔に、それぞれ取付部材側から横方向にネジ軸が収容されることにより、吊り下げ材の揺動がガイドされている。また、そのネジ軸にナットを締め付けることにより、吊り下げ材の側面と取付部材の側面とが密着して、両者が所定の角度で動かないように固定されている。
しかし、ナットの締め付けが不充分であると、経年等により、吊り下げ材と取付部材との密着が弱まり、吊り下げ材の向きが動いてしまう場合もある。
【０００９】
また、上記特許文献２によれば、吊り下げ材は、その吊り下げ材側に設けた上下方向の孔に、取付部材側からネジ軸が収容されて、そのネジ軸にナットを締め付けることにより、吊り下げ材は取付部材に対して所定の角度で動かないように固定されている。
すなわち、ネジ軸の先端は、取付部材の下方側から上方側に向かって挿入されて、その取付部材の内部に入り込んでいるので、ナットの締め付けは狭隘なスペースで行わなければならない。このため、作業が繁雑であるという問題がある。
【００１０】
ネジ軸へのナットの締め付けは、施工現場において、被固定部に固定された取付部材の向き（勾配）と、吊り下げ材の角度を見ながら、現物合わせで行われる。また、その作業は、多くの場合は上向きの姿勢で行わなければならない。このため、天井等に固定された取付部材への吊り下げ材の固定作業は、できるだけ簡便であることが望ましい。
【００１１】
そこで、この発明の課題は、取付部材への吊り下げ材の固定作業をできるだけ簡便にすることである。
【課題を解決するための手段】
【００１２】
上記の課題を解決するために、この発明は、天井等の被固定部に取り付けられる取付部材と、物干し竿等の懸架物を支持する保持材と、前記取付部材と前記保持材とを結ぶ上下方向の吊り下げ材とを備え、前記吊り下げ材は前記取付部材に対して揺動自在であり、前記取付部材及び前記吊り下げ材の一方に長孔が設けられて、他方に設けたガイドピンが前記長孔内を移動することにより前記吊り下げ材の揺動がガイドされており、前記ガイドピンの前記長孔内の移動とともにそのガイドピンと一体に同方向へ移動するガイドプレートを備え、前記ガイドプレートを前記取付部材に固定して前記ガイドピンの前記長孔内での移動を規制する係止手段を備えた物干し用支持装置を採用した。
【００１３】
この構成において、前記取付部材は、前記被固定部側の下向き面に沿う基板部とその基板部から前記保持材側に向かって立ち上がる対の側壁とを備え、前記長孔は前記対の側壁にそれぞれ設けられて、前記吊り下げ材は前記対の側壁間に入り込んでおり、前記ガイドプレートは前記側壁に沿う側部プレートと、前記基板部に沿う基部プレートとを備え、前記係止手段は、前記基板部と前記基部プレートとの間に設けられる構成を採用することができる。
【００１４】
このとき、前記係止手段は、前記基部プレート側に設けられる貫通孔と、前記基板部側に設けられるネジ孔と、前記貫通孔及び前記ネジ孔に挿通されるネジ部材とを備える構成とすることができる。
【００１５】
また、前記係止手段のネジ孔は、前記取付部材に対する前記吊り下げ材の揺動角度に合わせて前記基板部側に穿孔されるものであり、任意の前記揺動角度において前記基板部と前記基部プレートを係止できる構成とすることができる。
【００１６】
なお、前記ガイドプレートは、前記ガイドピンの軸周りに回動可能であることが望ましい。
【００１７】
また、前記取付部材は、前記被固定部に固定される基板と、その基板に固定される基板プレートと、前記基板プレートに固定されて吊り下げ材を揺動自在に支持する揺動支持部とを備え、前記基板プレートは、前記基板に対して平面視任意の方位に固定できて前記吊り下げ材の揺動方向が変更可能である構成とすることができる。
【発明の効果】
【００１８】
この発明は、吊り下げ材の揺動とともに長孔内を移動するガイドピンと、そのガイドピンと一体に同方向へ移動するガイドプレートを備え、ガイドプレートを取付部材に固定してガイドピンの長孔内での移動を規制する係止手段を備えたので、取付部材への吊り下げ材の固定作業をできるだけ簡便にすることができる。
【図面の簡単な説明】
【００１９】
【図１】この発明の一実施形態を示す分解斜視図
【図２】同実施形態の天井への取付状態を示す斜視図
【図３】同実施形態の要部拡大断面図
【図４】吊り下げ材と取付部材との接続部の詳細を示し、（ａ）は正面図、（ｂ）は底面図
【図５】（ａ）（ｂ）は、物干し用支持装置の設置状態を示す全体図
【図６】（ａ）は基板及び基板プレートの斜視図、（ｂ）は基板プレートの斜視図
【図７】物干し竿を掛けた使用状態を示す斜視図
【発明を実施するための形態】
【００２０】
この発明の実施形態を、図面に基づいて説明する。この実施形態は、バルコニーの天井（被固定部）Ｃに、支持部材Ａを吊り下げて固定する物干し用支持装置１である。バルコニーの天井Ｃ以外にも、建物の軒下や梁等の種々の被固定部の下向き面にも取り付けることができる。
【００２１】
物干し用支持装置１は、図１及び図２に示すように、物干し竿等の懸架物Ｂを支える保持材３に、軸状の吊り下げ材２を上向きに接続した支持部材Ａを備えている。保持材３及び吊り下げ材２の材質は金属製としているが、強度や耐久性が確保できれば樹脂製のものを採用してもよい。
【００２２】
保持材３に懸架物Ｂを掛けた使用状態は、例えば図７の通りである。保持材３は、枠部３ａの内側に懸架物Ｂを係止することができる係止部３ｂを備えている。実施形態では、５つの係止部３ｂを備えているが、係止部３ｂの形状や数量、枠部３ａの形状も自由に設定できる。
【００２３】
吊り下げ材２の上端は、天井Ｃの下向き面に固定された取付部材１０に対して、ピン接合により揺動自在に接続されるようになっている。
【００２４】
吊り下げ材２の下端は、保持材３の枠部３ａから上方へ突出するように設けられた接続凸部３ｃに接続されるようになっている。
【００２５】
この実施形態では、吊り下げ材２は二重筒構造となっており、内筒を構成する第一部材２ａと、外筒を構成する第二部材２ｂ、第三部材２ｃとを備えている。
【００２６】
第一部材２ａは、外筒である第二部材２ｂ、第三部材２ｃの中にすっぽりと入る外径を有する筒状部材である。この実施形態では、第一部材２ａの筒軸直交断面は、正方形の四隅を面取りしたような断面八角形を成している。
【００２７】
第二部材２ｂと第三部材２ｃとは、内筒よりも大径で同じ断面形状を有する筒状部材である。この実施形態では、第二部材２ｂと第三部材２ｃの筒軸直交断面は、第一部材２ａの断面と相似の関係にあり、正方形の四隅を面取りしたような断面八角形を成している。外筒の中に内筒が入れば、内筒の外面が外筒の内面にぴったりと又は僅かな隙間をもって対向し、両者は筒軸周りに相対回転しないようになっている。
【００２８】
内筒である第一部材２ａは、外筒である第二部材２ｂと同一、又は、第二部材２ｂよりも若干長い部材である。第二部材２ｂの上部には、それぞれ筒状部材の筒軸を挟んで両側の部材を貫通する孔５が設けられている。筒軸を挟んで対向する孔５，５の中心線は同一直線状にあり、この実施形態では、その中心線はいずれも筒軸を通っている。
【００２９】
第二部材２ａの上部に設けられるピン孔５は、相対的に上方に位置する第一のピン孔５ａと下方に位置する第二のピン孔５ｂとを備える。
上方に位置する第一のピン孔５ａと、下方に位置する第二のピン孔５ｂに、それぞれ後述するガイドピン２１、揺動ピン２３が挿通されることで、吊り下げ材２が取付部材１０に支持される。
【００３０】
第一部材２ａの上部と第二部材２ｂの上部には、ピン孔５よりも下方に、それぞれ筒状部材の筒軸を挟んで両側の部材を貫通する孔７，７’が設けられている。筒軸を挟んで対向する孔７，７、孔７’，７’の中心線は同一直線状にあり、この実施形態では、その中心線はいずれも筒軸を通っている。
【００３１】
第一部材２ａの上部に設けられるピン孔７は、筒軸方向に沿って二つ並列し、第二部材２ｂの上部に設けられるピン孔７’も、筒軸方向に沿って二つ並列して設けられている。第一部材２ａが第二部材２ｂ内に挿通された際に、二つのピン孔７と二つのピン孔７’の位置が合致するようになっている。ピン孔７’、ピン孔７、ピン孔７、ピン孔７’の順にボルト７ａが挿通されて、ナットで締め付けられることで、第一部材２ａと第二部材２ｂとが一体化される。
【００３２】
第一部材２ａの下部と第三部材２ｃの上部には、それぞれ筒状部材の筒軸を挟んで両側の部材を貫通する孔６，６’が設けられている。筒軸を挟んで対向する孔６，６、孔６’，６’の中心線は同一直線状にあり、この実施形態では、その中心線はいずれも筒軸を通っている。
【００３３】
第一部材２ａの下部に設けられるピン孔６は、筒軸方向に沿って二つ並列し、第三部材２ｃの上部に設けられるピン孔６’も、筒軸方向に沿って二つ並列して設けられている。第一部材２ａの下端が第三部材２ｃ内に挿通された際に、二つのピン孔６と二つのピン孔６’の位置が合致するようになっている。ピン孔６’、ピン孔６、ピン孔６、ピン孔６’の順にボルト６ａが挿通されて、ナットで締め付けられることで、第一部材２ａと第三部材２ｃとが一体化される。
【００３４】
保持材３の接続凸部３ｃも内筒であり、第一部材２ａと同じ断面形状をしている。外筒である第三部材２ｃの中に内筒である接続凸部３ｃが入れば、内筒の外面が外筒の内面にぴったりと又は僅かな隙間をもって対向し、両者は筒軸周りに相対回転しないようになっている。
【００３５】
第三部材２ｃの下部と保持材３の接続凸部３ｃには、それぞれ筒状部材の筒軸を挟んで両側の部材を貫通する孔８，９が設けられている。筒軸を挟んで対向する孔８，８、孔９，９の中心線は同一直線状にあり、この実施形態では、その中心線はいずれも筒軸を通っている。接続凸部３ｃが第三部材２ｃの下端内に挿通された際に、二つのピン孔８と二つのピン孔９の位置が合致するようになっている。ピン孔８、ピン孔９、ピン孔９、ピン孔８の順に、ボルト８ａが挿通されてナットで締め付けられることで、第三部材２ｃと接続凸部３ｃとが一体化される。
【００３６】
以上の第一部材２ａ、第二部材２ｂ、第三部材２ｃ、保持材３の接続により、吊り下げ材２と保持材３とが一体化されて支持部材Ａを構成する。支持部材Ａの長さは、これらの各部材を切断し、必要であれば、ボルト挿通用の孔を穿孔することで自由に調整可能である。これらの調整は、現場の作業で容易に可能である。
【００３７】
つぎに、吊り下げ材２の上端と取付部材１０との接続部について説明する。
【００３８】
取付部材１０は、図３に示すように、天井Ｃの下向き面に固定される基板１１と、その基板１１に固定される基板プレート１２、その基板プレート１２に固定されて吊り下げ材２を揺動自在に支持する揺動支持部１３とを備える。基板１１と基板プレート１２とで、揺動支持部１３を支える基板部を構成している。基板１１、基板プレート１２、揺動支持部１３は、いずれも金属製としているが、強度や耐久性が確保できれば樹脂製のものを採用してもよい。
【００３９】
基板１１は、その外形が平面視円形を成す部材であり、その中央に、同じく平面視環状を成す突出部１１ａを備えている。天井Ｃの下向き面に宛がわれた状態で孔１１ｃに挿通したビス１６を天井Ｃにネジ込んで、その天井Ｃに固定される。突出部１１ａの外径は、基板１１の中心周りの真円又は真円の一部を成している。
【００４０】
基板プレート１２は、その外形が平面視円形を成すベース部１２ａの外縁部に、天井Ｃ側へ向かって突出し、且つ、平面視環状を成す縁部１２ｂを備えている。縁部１２ｂの内径は、基板プレート１２の中心周りの真円又は真円の一部を成し、これは、突出部１１ａの真円と同一の円又は同心円である。
【００４１】
環状の突出部１１ａの外周面には、周方向に沿って係合溝１１ｂが全周にわたって形成されている。また、環状の縁部１２ｂの内周面には、係合突部１２ｃが設けられている。このため、係合溝１１ｂ内を係合突部１２ｃが移動することにより、基板プレート１２と基板１１とが係合状態を維持したまま、基板プレート１２は基板１１に対して、基板１１及び基板プレート１２の中心周りに平面視相対回転可能である。
【００４２】
揺動支持部１３は、天井Ｃの下向き面に沿う基部１３ａとその基部１３ａから保持材３側に向かって立ち上がる対の側壁１３ｂ，１３ｂとを備える。対の側壁１３ｂ，１３ｂは互いに平行な面方向を有する板状部材である。基部１３ａと対の側壁１３ｂ，１３ｂとは、例えば、一枚の板材から曲げ加工により形成することができる。
【００４３】
基板プレート１２には、二本のスリット１７が形成されている。そのスリット１７に、揺動支持部１３の対の側壁１３ｂ，１３ｂが挿入される。対の側壁１３ｂ，１３ｂは、基板プレート１２の上面側（天井Ｃ側）から挿入され、対の側壁１３ｂ，１３ｂの上端同士を結ぶ基部１３ａは、基板プレート１２の上面に当接する。基部１３ａの上面にはさらに宛がい部材１４が載せられ、基板プレート１２、揺動支持部１３、宛がい部材１４の３つの部材が、それらを貫通するようにネジ込まれたビス１５で固定される（図３参照）。
【００４４】
対の側壁１３ｂ，１３ｂには、それぞれ長孔２２，２２が設けられている。また、その長孔２２，２２よりも下方（基部１３ａから遠い側）に、それぞれ揺動ピン孔２４が設けられている。
【００４５】
吊り下げ材２の上部は、その対の側壁１３ｂ，１３ｂ間に入り込んでいる。吊り下げ材２の上部には、２つのピン孔５が設けられているので、ピン孔５と長孔２２，２２にガイドピン２１が、ピン孔５と揺動ピン孔２４、２４に、揺動ピン２３が挿通される。
【００４６】
ガイドピン２１が挿通されるピン孔５は、相対的に上方（天井Ｃに近い側）に位置し、二重筒構造の吊り下げ材２の第一のピン孔５ａである。
【００４７】
揺動ピン２３が挿通されるピン孔５は、相対的に下方（天井Ｃから遠い側）に位置し、第二のピン孔５ｂである。
【００４８】
揺動支持部１３によって、吊り下げ材２が揺動ピン２３周りに揺動自在に支持されており、その揺動に伴って、ガイドピン２１が長孔２２，２２内を移動することにより、その吊り下げ材２の揺動がガイドされている。
【００４９】
また、ガイドピン２１の長孔２２，２２内の移動とともに、そのガイドピン２２と一体に同方向へ移動するガイドプレート３０が備えられている。
【００５０】
ガイドプレート３０は、図３に示すように、揺動支持部１３の側壁１３ｂに沿う側部プレート３２と、揺動支持部１３の基部１３ａに沿う基部プレート３１とを備える断面Ｌ字状の板状部材である。側部プレート３２に設けた孔に、ピン孔５、長孔２２を通るガイドピン２２の端部が挿通され、ナットで締め付けられている。ガイドピン２１の長孔２２，２２内の移動とともに、ガイドプレート３０は、図４（ａ）に示す実線の状態から鎖線の状態へと移動する。
【００５１】
また、そのガイドプレート３０を取付部材１０に固定することにより、ガイドピン２１の長孔２２内での移動を規制する係止手段が備えられている。
【００５２】
この実施形態では、係止手段は、揺動支持部１３の基部１３ａと、ガイドプレート３０の基部プレート３１との間に設けられるビス（以下、係止ビス３３と称する。）を備える。
【００５３】
具体的には、係止手段は、基部プレート３１側に設けられる貫通孔と、基板プレート１２側の部材、すなわち、基板プレート１２と宛がい部材１４に設けられるネジ孔と、その貫通孔及びネジ孔に挿通されるネジ部材である係止ビス３３とを備える。
【００５４】
係止手段のネジ孔は、取付部材１０に対する吊り下げ材２の揺動角度に合わせて、基板プレート１２側に穿孔されたものである。例えば、係止ビス３３をタッピングビスとすれば、電動のレンチ等により係止ビス３３をネジ込めば、適切な位置に穿孔することができる。また、予め適切な位置に穿孔を施しておき、その穿孔された箇所に係止ビス３３をネジ込んでもよい。
【００５５】
また、基板１１には、その外周に嵌るカバー４が設けられている。カバー４の中央に開口部４ａが設けられており、吊り下げ材２は、この開口部４ａを通じて下方へ引き出されている。開口部４ａの大きさは、吊り下げ材２の揺動の際に、その吊り下げ材２が当たらない大きさ、形状となっている。このカバー４を取り付ければ、基板１１や基板プレート１２、揺動支持部１３が、外観上見えなくなるので、美観の向上に寄与し得る。
【００５６】
取付部材１０を固定する天井Ｃ等の被固定部は、例えば、図５（ａ）や図５（ｂ）に示すように、その向きが必ずしも水平方向ではなく、建物の排水勾配やデザイン等を考慮して、水平方向に対して一定の角度（勾配）が付いている場合が多い。その勾配の向きは、建物の外縁に向かって下り勾配であったり、上り勾配であったり、あるいは、水平であったり様々である。
【００５７】
このため、上記のように、軸状の吊り下げ材２を取付部材１０に対して揺動できるようにしたので、支持部材Ａ、すなわち、吊り下げ材２及びその下部の保持材３の向き（揺動角度）を調整できる。すなわち、天井Ｃ等の下向き面の面方向に対して、任意の俯角に設定できる。なお、吊り下げ材２の向きは、通常は、鉛直方向下向きに固定されるのが一般的である。
【００５８】
また、その任意の揺動角度において、ガイドプレート３０は、係止手段が基板プレート１２と基部プレート３１とを係止することにより、ガイドピン２１が長孔２２内を移動できないように拘束する。このため、吊り下げ材２の向き（揺動角度）は、その位置で動かないように固定される。
【００５９】
このように、吊り下げ材２の揺動とともに長孔２２内を移動するガイドピン２１と、そのガイドピン２１と一体に同方向へ移動するガイドプレート３０を備え、ガイドプレート３０を取付部材１０に固定してガイドピン２１の長孔２２内での移動を規制する係止手段を備えたので、取付部材１０への吊り下げ材２の固定作業を簡便にできる。
【００６０】
また、ガイドプレート３０は、ガイドピン２１に対してナットで締め付けられて、側壁１３ｂに密着しているものの、そのガイドピン２１の軸周りに回動可能な状態である。両者が強く密着している状態であっても、ナットを緩めれば自由に回動できる。
【００６１】
このため、図４に示すように、吊り下げ材２が揺動した際に、ガイドプレート３０の基部プレート３１の面方向が、基板プレート１２の下面の面方向と平行にならない場合（図中の鎖線参照）であっても、ガイドプレート３０をガイドピン２１の軸周りに回動させれば、両者を平行に調整できる。ガイドプレート３０の基部プレート３１の面方向と、基板プレート１２の下面の面方向とが平行であれば、係止ビス３３のネジ込みがスムーズである。なお、ガイドプレート３０の基部プレート３１と、基板プレート１２の下面との間に隙間がある場合は、この隙間にスペーサ（図示せず）を介在させてもよい。スペーサは一様な厚さを有する樹脂や金属等の板材でもよいし、両者の面方向が平行でない場合は、一方向に向かうにつれて厚さが徐々に薄くなる樹脂や金属等のクサビ状の板材等であってもよい。
【００６２】
なお、両者の面方向が平行でない場合であっても、その成す角度（鋭角）はわずかであるので、係止ビス３３のネジ込みは支障なく行うことができる。
【００６３】
基板プレート１２の環状の縁部１２ｂの内周面には、係合突部１２ｃが設けられている。また、基板１１の突出部１１ａの外周面には、周方向に沿って伸びる係合溝１１ｂが設けられている。図６に、この実施形態の基板プレート１２側の係合突部１２ｃと基板１１側の係合溝１１ｂを示す。
【００６４】
基板プレート１２の係合突部１２ｃは、周方向に沿って所定の長さに形成された突条である。この実施形態では、４つの突条が同一の長さで形成されて、それらが等分方位に設けられている。
【００６５】
基板１１の係合溝１１ｂは、周方向に沿って所定の長さに形成された溝である。この実施形態では、４つの溝が同一の長さで形成されて、それらが等分方位に設けられている。各溝の周方向一端には導入部１１ｄが設けられている。
【００６６】
基板プレート１２と基板１１側とを対向させ、係合突部１２ｃを導入部１１ｄに挿入した後、基板プレート１２と基板１１側とを周方向に沿って相対回転させることにより、係合溝１１ｂ内に係合突部１２ｃを差し入れて、基板プレート１２と基板１１とを一体化させる。
【００６７】
このとき、既に、既に天井等の被固定部に取り付けられている基板１１に対し、基板プレート１２の取り付け方位を変えることにより揺動支持部１３の向きが変わり、吊り下げ材２の揺動方向を変更することができる。建物の外壁から伸びる軒下にこの装置を取り付ける際には、吊り下げ材２の揺動方向を軒の根本部から軒先の方向とすることもできるし、外壁に平行な方向とすることもできる。
【００６８】
この変更は、係合突部１２ｃを差し入れる導入部１１ｄを選択することにより可能である。この実施形態では、係合突部１２ｃと導入部１１ｄ、係合溝１１ｂがそれぞれ等分方位に４箇所設けられているので、９０度毎の方位変更が可能である。係合突部１２ｃ、導入部１１ｄ、係合溝１１ｂの数を増やせば、さらにきめ細かな方位毎の調整も可能である。
【００６９】
なお、この実施形態では、係合溝１１ｂと係合突部１２ｃとを周方向に沿って断続的に配置したが、係合溝１１ｂ内に係合突部１２ｃを収容可能であれば、これらの係合溝１１ｂと係合突部１２ｃとは、全周にわたって連続的に設けてもよいし、任意の配置、任意の間隔で全周にわたって断続的に設けてもよい。また、周方向に沿って全周に一定の距離だけ設けられていてもよい。すなわち、基板１１に対して基板プレート１２は回転中心周りに３６０度相対回転できる構成であってもよいし、３６０度未満の所定の角度だけ相対回転できるものであってもよい。
【００７０】
これらの構成では、係合溝１１ｂ内を係合突部１２ｃが移動することにより、基板プレート１２と基板１１とが係合状態を維持したまま、基板プレート１２は基板１１に対して平面視相対回転可能とすることもできる。すなわち、天井Ｃに不動に固定された基板１１に対して、基板プレート１２は互いの回転中心周りに、すなわち、係合溝１１ｂと係合突部１２ｃの中心軸周りに平面視相対回転可能であれば、吊り下げ材２の揺動方向は無段階で自由に変更可能である。
【００７１】
また、基板１１を天井等の被固定部に固定する際に、孔１１ｃに挿通したビス１６を天井Ｃにネジ込むこととなるが、図６（ｂ）に示すように、周方向に沿って対向する孔１１ｃ，１１ｃ同士は、一方が半径方向へ向く長孔、他方が周方向へ向く長孔となっている。図中の符号Ａに示す孔１１ｃは半径方向へ向く長孔、それに対向する符号Ｃに示す孔１１ｃは周方向へ向く長孔である。図中の符号Ｂに示す孔１１ｃは半径方向へ向く長孔、それに対向する符号Ｄに示す孔１１ｃは周方向へ向く長孔である。
【００７２】
半径方向へ向く長孔にビス１６を通して基板１１を被固定部に仮固定した後、吊り下げ材２の揺動方向が所望の方向を向くように、対向する側の周方向へ向く長孔にビス１６を通し、そのビス１６を周方向の長孔内で移動させて、基板１１の向きを微調整することができる。このとき、被固定部が横梁（建物の外壁と平行方向の梁）である場合は、２本のビス１６はその横梁に沿って、被固定部が縦梁（軒の根本部から軒先の方向の梁）である場合は、２本のビス１６はその縦梁に沿って固定する。
【００７３】
この実施形態では、揺動支持部１３は、被固定部側の下向き面に沿う基部１３ａとその基部１３ａから保持材３側に向かって立ち上がる対の側壁１３ｂ，１３ｂとを備える断面コ字状の部材としたが、充分な強度を有しているものであれば、基部１３ａの一端から保持材３側に向かって立ち上がる側壁１３ｂを備えた断面Ｌ字状の部材としてもよい。その他、吊り下げ材２を保持できる形状の部材としてもよい。
【００７４】
さらに、この実施形態では、取付部材１０側に長孔２２を、吊り下げ材２側に設けたピン孔５にガイドピン２１を挿通して吊り下げ材２とガイドピン２１とが一体に長孔２２内を移動するようにしたが、吊り下げ材２側に長孔２２を、取付部材１０側に設けたピン孔にガイドピン２１を挿通して、取付部材１０側の部材とガイドピン２１とが一体に吊り下げ材２側の長孔２２内を移動するようにしてもよい。
【符号の説明】
【００７５】
１  物干し用支持装置
２  吊り下げ材
３  保持材
４  カバー
５  ピン孔
６，６’，７，７’，８，９  ピン孔
１０  取付部材
１１  基板
１２  基板プレート
１３  揺動支持部
１３ａ  基部
１３ｂ  側壁
１４  宛がい部材
１５，１６  ビス
２１  ガイドピン
２２  長孔
２３  揺動ピン
２４  孔
３０  ガイドプレート
３１  基部プレート
３２  側部プレート
３３  係止ビス
【図１】
0006445280.tif 000002
【図２】
0006445280.tif 000003
【図３】
0006445280.tif 000004
【図４】
0006445280.tif 000005
【図５】
0006445280.tif 000006
【図６】
0006445280.tif 000007
【図７】
0006445280.tif 000008